(57)【要約】【課題】ロックリングの有無、向き及び数を検出し、ロックリングに応じて検査荷重を変更することもできる雌型金具のロックリング検査装置及びそれを用いたロックリングの検査方法を提供する。【解決手段】検査軸１、測定プレート２、スプリング３、シリンダー４及び変位検出手段５を備え、シリンダー４を作動させると検査軸１及び測定プレート２が移動して測定プレート２が雌型金具１０の端面に当たって止まり、続いて、スプリング３が縮んで検査軸１が雌型金具１０内に入り込み、解放リング１１を介してロックリング１２に接触するまで移動した変位量を変位検出手段５によって検出するロックリング検査装置、及び、変位検出手段５によって検出された変位量Ｌ’とロックリング１２が適正に挿入されている場合の変位量Ｌとを比較してロックリング１２の有無、向き及び数を検査するロックリングの検査方法。【選択図】  図２
2004184271.tif 000002
【特許請求の範囲】
【請求項１】
雌型金具（１０）の内面に、解放リング（１１）と共に挿入されたロックリング（１２）の検査装置であって、検査軸（１）、測定プレート（２）、スプリング（３）、シリンダー（４）及び変位検出手段（５）を備え、シリンダー（４）を作動させると、検査軸（１）及び測定プレート（２）が移動して測定プレート（２）が雌型金具（１０）の端面に当たって止まり、続いて、スプリング（３）が縮んで検査軸（１）が雌型金具（１０）内に入り込み、解放リング（１１）を介してロックリング（１２）に接触するまで移動した変位量を変位検出手段（５）によって検出することを特徴とする雌型金具のロックリング検査装置。
【請求項２】
請求項１に記載のロックリング検査装置を用いた検査方法であって、変位検出手段（５）によって検出された変位量（Ｌ’）と、ロックリング（１２）が適正に挿入されている場合の変位量（Ｌ）とを比較して、ロックリング（１２）の有無、向き及び数を検査することを特徴とするロックリングの検査方法。
【発明の詳細な説明】
【０００１】
【発明の属する技術分野】
本発明は、雌型金具の内面に検査軸を挿入して、ロックリングを検査する装置と、それを用いて、ロックリングの有無等を検査するロックリングの検査方法に関するものである。
【０００２】
【従来の技術】
従来から、管体内面の突出部の有無を検査するため、検査治具を挿入する方法が知られている。即ち、検査治具を管軸方向に移動させ、検査治具が管内を貫通するか否かによって、突出部の有無を判定する検査方法である。
【０００３】
例えば、図３に示す検査方法は、管体２０の一端に検査治具装填発射装置３０を取り付け、バルブ３１を開けて空気を供給し、空気圧によって検査治具３２を管軸方向に移動させ、検査治具３２が管体２０内を貫通するか否かによって、管体２０の内面に突出部が有るか否かを検査するものである（例えば、特許文献１参照。）。
【０００４】
【特許文献１】
特開２００１−５０８９０号公報  （第２頁、図１）
【０００５】
【発明が解決しようとする課題】
しかしながら、特許文献１に記載の検査方法は、管体内面の突出部の有無を検査するものであり、雌型金具の内面に、解放リングと共に挿入されたロックリングの検査には適さない。即ち、ロックリングは雌型金具の正しい位置に、正しい方向、数で配置されている必要があるので、単にロックリングの有無を検査するだけでは足りない。
【０００６】
そのため、ロックリングの検査には測定精度の高さが要求されるのであるが、空気圧によって検査治具を管軸方向に移動させるという従来の検査方法では、ロックリングの有無程度は検査することができても、その向き及び数まで正確に検出することは困難である。
【０００７】
そこで本発明は、単なるロックリングの有無だけでなく、ロックリングの向きや数までも正確に検出し、ロックリングに応じて検査荷重を変更することもできる雌型金具のロックリング検査装置及びそれを用いたロックリングの検査方法を提供することを目的とするものである。
【０００８】
【課題を解決するための手段】
本発明は、以上の課題を解決するためになされたものであって、その第１の要旨は、雌型金具の内面に、解放リングと共に挿入されたロックリングの検査装置であって、検査軸、測定プレート、スプリング、シリンダー及び変位検出手段を備え、シリンダーを作動させると、検査軸及び測定プレートが移動して測定プレートが雌型金具の端面に当たって止まり、続いて、スプリングが縮んで検査軸が雌型金具内に入り込み、解放リングを介してロックリングに接触するまで移動した変位量を変位検出手段によって検出する雌型金具のロックリング検査装置に係るものである。
【０００９】
また、本発明の第２の要旨は、上記のロックリング検査装置を用いた検査方法であって、変位検出手段によって検出された変位量と、ロックリングが適正に挿入されている場合の変位量とを比較して、ロックリングの有無、向き及び数を検査するロックリングの検査方法に係るものである。
【００１０】
【発明の実施の形態】
本発明のロックリング検査装置は、検査軸、測定プレート、スプリング、シリンダー及び変位検出手段を備えるものである。ここで、検査軸は、雌型金具内に入り込み、解放リングを介してロックリングに接触する。即ち、検査軸がシリンダーの作動によって移動すると解放リングに当たり、それによって押された解放リングがロックリングに接触するようになっている。従って、検査軸が直接ロックリングに接触するわけではない。
【００１１】
これは、ロックリングが、管体に食い込むように断面Λ字形（雌型金具の開口端面が上向きの場合）になっているからである。そして、解放リングは、ロックリングのΛ字形の内周傾斜面に当接し、ロックリングを拡径するようになっている。このように、ロックリングと解放リングとは特別な関係を有しているので、検査軸を直接ロックリングに接触させるとロックリングを変形させるおそれもあることから、解放リングを介して接触するようにしたのである。そのため、検査軸の外径は解放リングの外径に合わせておく。
【００１２】
また、測定プレートもシリンダーによって移動するが、雌型金具の端面に当たって止まるようになっている。即ち、雌型金具の端面が、検査軸の変位量の基準になるようにしている。なお、スプリングは、測定プレートが雌型金具の端面に当たって止まった後、検査軸が雌型金具内に入り込むように縮むものであるが、それ以外にも、装置の自重により検査軸等が傾かないようにし、振動の伝達を遮断し、シリンダーの作動に伴う検査軸の急激な移動を抑制し、検査荷重の自由な変更を可能にするという作用効果も奏する。従って、スプリングの存在によって測定精度が向上する。
【００１３】
更に、変位検出手段は、検査軸の変位量を検出するものであり、例えば、スプリングの縮み量を光センサー等の変位センサーで検出すればよい。そして、ロックリングが適正に挿入されている場合の変位量を予め測定しておき、検査対象の変位量との比較でロックリングの有無、向き及び数を検査する。
【００１４】
即ち、変位検出手段によって検出された変位量Ｌ’が適正な変位量Ｌよりも小さい（Ｌ’＜Ｌ）場合には、スプリングの縮み量が所定値よりも小さいことになるので、検査軸が雌型金具内に入り込む量が大きいことを意味する。従って、ロックリングが無いことが判明する。
【００１５】
逆に、Ｌ’＞Ｌの場合には、スプリングの縮み量が所定値よりも大きく、検査軸が雌型金具内に入り込む量が小さい、即ち、解放リングが所定よりも早くロックリングに接触したことを意味する。従って、断面Λ字形のロックリングが逆向き（Ｖ字形）に挿入されているか、Λ字形に２枚以上挿入されていることが判明する。
【００１６】
【実施例】
以下、本発明の雌型金具のロックリング検査装置における最良の実施の形態を図面をもって説明し、更に、それを用いたロックリングの検査方法を説明する。図１は、本発明の雌型金具のロックリング検査装置の一例を示す一部断面側面図である。即ち、図１に示す実施例のロックリング検査装置は、検査軸１、測定プレート２、スプリング３、シリンダー４及び変位検出手段５を備えている。そして、変位検出手段５は、基準プレート５Ａ及び変位センサー５Ｂで構成されている。そして、シリンダー４を作動させると、検査軸１及び測定プレート２が下向きに移動する。
【００１７】
一方、検査対象である雌型金具１０の内面には、解放リング１１と共にロックリング１２が挿入されている。ここで、雌型金具１０は、下向きに移動する検査軸１の延長線上に、開口端面を上向きにして置かれており、ロックリング１２の断面は、Λ字形になっている。
【００１８】
図２は、図１に示す実施例のロックリング検査装置を用いたロックリングの検査方法を示す一部断面側面図である。図２に基づいてロックリングの検査方法を説明すると、図１の状態からシリンダー４を作動させ、検査軸１及び測定プレート２を下降させる。すると、測定プレート２が雌型金具１０の端面に当たって止まる。続いて、スプリング３が縮んで検査軸１が雌型金具１０内に入り込み、図２に示すように、解放リング１１を介してロックリング１２に接触するまで移動して止まる。
【００１９】
この際、変位検出手段５の基準プレート５Ａは、測定プレート２と共に止まっているが、変位センサー５Ｂは検査軸１が止まるまで移動し続ける。そのため、変位検出手段５によって検出される変位量Ｌ’は、雌型金具１０内への検査軸１の入り込み量に応じた、スプリング３の縮み量と一致する。
【００２０】
従って、変位検出手段５によって検出された変位量Ｌ’と、ロックリング１２が適正に挿入されている場合の変位量Ｌとを比較すれば、検査軸１の入り込み量である、雌型金具１０の端面からロックリング１２までの距離が適正であるか否かが判定できる。
【００２１】
具体的には、Ｌ’＜Ｌの場合には、雌型金具１０の端面からロックリング１２までの距離が適正値よりも長いので、ロックリングが無いと判断できる。また、Ｌ’＞Ｌの場合には、雌型金具１０の端面からロックリング１２までの距離が適正値よりも短いので、断面Λ字形のロックリングが逆向き（Ｖ字形）に挿入されているか、Λ字形に２枚以上挿入されていると判断できる。
【００２２】
【発明の効果】
本発明の雌型金具のロックリング検査装置は、雌型金具の内面に、解放リングと共に挿入されたロックリングの検査装置であって、検査軸、測定プレート、スプリング、シリンダー及び変位検出手段を備え、シリンダーを作動させると、検査軸及び測定プレートが移動して測定プレートが雌型金具の端面に当たって止まり、続いて、スプリングが縮んで検査軸が雌型金具内に入り込み、解放リングを介してロックリングに接触するまで移動した変位量を変位検出手段によって検出するものであり、本発明のロックリングの検査方法は、上記のロックリング検査装置を用いた検査方法であって、変位検出手段によって検出された変位量と、ロックリングが適正に挿入されている場合の変位量とを比較して、ロックリングの有無、向き及び数を検査するものであるので、単なるロックリングの有無だけでなく、ロックリングの向きや数までも正確に検出し、ロックリングに応じて検査荷重を変更することもできる。
【図面の簡単な説明】
【図１】図１は、本発明の雌型金具のロックリング検査装置の一例を示す一部断面側面図である。
【図２】図２は、図１に示す実施例のロックリング検査装置を用いたロックリングの検査方法を示す一部断面側面図である。
【図３】図３は、従来の管体内面の突出部の有無を検査する装置を示す一部断面側面図である。
【符号の説明】
１‥検査軸
２‥測定プレート
３‥スプリング
４‥シリンダー
５‥変位検出手段
５Ａ‥基準プレート
５Ｂ‥変位センサー
１０‥雌型金具
１１‥解放リング
１２‥ロックリング
２０‥管体
３０‥検査治具装填発射装置
３１‥バルブ
３２‥検査治具
Ｌ  ‥ロックリングが適正に挿入されている場合の変位量
Ｌ’‥変位検出手段によって検出された変位量
【図１】
2004184271.tif 000003
【図２】
2004184271.tif 000004
【図３】
2004184271.tif 000005